(57)【要約】【課題】位置情報に基づくサービス処理方法及び装置を提供する。【解決手段】本発明の方法は、アプリケーションサーバが、測位端末によって送信された測位信号を取得するステップと、アプリケーションサーバが、測位信号に従って測位端末に関する位置情報を特定するステップと、アプリケーションサーバが、サービス処理規則に従って、及び測位端末に関する位置情報に基づいて、サービス処理情報をアプリケーションクライアント及び／又は測位端末に送信するステップとを含む。本発明は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。【選択図】図１
2016054471.tif 000002
【特許請求の範囲】
【請求項１】
位置情報に基づくサービス処理方法であって、
アプリケーションサーバによって、測位端末によって送信された測位信号を取得するステップと、
前記アプリケーションサーバによって、前記測位信号に従って前記測位端末に関する位置情報を特定するステップと、
前記アプリケーションサーバによって、サービス処理規則に従って、及び前記測位端末に関する前記位置情報に基づいて、サービス処理情報をアプリケーションクライアント及び／又は測位端末に送信するステップと
を含むことを特徴とする、方法。
【請求項２】
前記アプリケーションサーバが、前記測位信号に従って前記測位端末に関する位置情報を特定する前記ステップが、
前記アプリケーションサーバによって、前記測位信号に従って前記測位端末の位置点を特定するステップと、
前記アプリケーションサーバによって、少なくとも２つの時点で取得された前記測位信号に従って前記測位端末の位置軌跡を特定するステップと、
前記アプリケーションサーバによって、前記測位信号に従って前記測位端末のジオフェンシングを特定するステップと、
前記アプリケーションサーバによって、前記測位信号に従って前記測位端末の位置点及びシステム時刻を特定するステップと
の少なくとも１つを含むことを特徴とする、請求項１に記載の方法。
【請求項３】
前記アプリケーションサーバによって、ローカルで予め設定された、若しくは前記アプリケーションクライアントによって送信された測位モード及び／又は測位頻度を取得するステップと、
前記アプリケーションサーバによって、測位信号を送信する前記測位端末のタイプ及び／又は頻度を制御するために、前記測位モード及び／又は測位頻度を前記測位端末に送信するステップと
を更に含むことを特徴とする、請求項１に記載の方法。
【請求項４】
前記アプリケーションサーバが、前記サービス処理規則に従って、及び前記測位端末に関する前記位置情報に基づいて、前記サービス処理情報を前記アプリケーションクライアントに送信する前記ステップが、
前記アプリケーションサーバによって、アプリケーションクライアントによって送信された測位検索要求を受信するステップと、
前記アプリケーションサーバによって、前記測位検索要求に従ってシーク対象の測位端末を特定するステップと、
前記アプリケーションサーバによって、シーク対象の前記測位端末に関する位置情報に基づいて、前記アプリケーションクライアントに測位検索結果を送信するステップと
を含むことを特徴とする、請求項１に記載の方法。
【請求項５】
前記アプリケーションサーバが、前記サービス処理規則に従って、及び前記測位端末に関する前記位置情報に基づいて、前記サービス処理情報を前記測位端末に送信する前記ステップが、
前記アプリケーションサーバによって、前記アプリケーションクライアントによって送信されたジオフェンシング設定要求を受信するステップと、
前記アプリケーションサーバによって、前記ジオフェンシング設定要求に従って、ターゲット測位端末を特定するステップと、
前記アプリケーションサーバによって、前記ジオフェンシング設定要求でのサービス処理規則に従って、及び前記ターゲット測位端末に関する位置情報に基づいて、ジオフェンシングリマインダ通知を前記ターゲット測位端末に送信するステップと
を含むことを特徴とする、請求項１に記載の方法。
【請求項６】
前記アプリケーションサーバが、前記サービス処理規則に従って、及び前記測位端末に関する前記位置情報に基づいて、前記サービス処理情報を前記アプリケーションクライアントに送信する前記ステップが、
前記アプリケーションサーバによって、前記アプリケーションクライアントによって送信された物流リアルタイム測位要求を取得するステップと、
前記アプリケーションサーバによって、前記物流リアルタイム測位要求に従って物流測位端末を特定するステップと、
前記アプリケーションサーバによって、前記物流測位端末に関する位置情報に基づいて、前記物流測位端末に関する位置情報を前記アプリケーションクライアントにリアルタイムで送信するステップと
を含むことを特徴とする、請求項１に記載の方法。
【請求項７】
前記アプリケーションサーバが、前記サービス処理規則に従って、及び前記測位端末に関する前記位置情報に基づいて、前記サービス処理情報を前記アプリケーションクライアント及び／又は測位端末に送信する前記ステップが、
前記アプリケーションサーバによって、前記アプリケーションクライアントによって送信された配達物分配要求を取得するステップと、
前記アプリケーションサーバによって、前記配達物分配要求での配達物の位置と、少なくとも１つの測位端末に関する位置情報とに従って、適合位置を有するターゲット測位端末を検索するステップと、
前記アプリケーションサーバによって、前記ターゲット測位端末に配達物を分配する旨の通知を、前記ターゲット測位端末及び／又はアプリケーションクライアントに送信するステップと
を含むことを特徴とする、請求項１に記載の方法。
【請求項８】
位置情報に基づくサービス処理方法であって、
測位端末によって、現在位置の測位信号を収集するステップと、
前記測位端末によって、前記測位信号をアプリケーションサーバに送信するステップと
を含み、それにより、前記アプリケーションサーバが、前記測位信号に従って前記測位端末に関する位置情報を特定し、サービス処理規則に従って、及び前記測位端末に関する位置情報に基づいて、サービス処理情報をアプリケーションクライアントと交換することを特徴とする、方法。
【請求項９】
前記測位信号が、ＧＰＳ信号、ＷＩＦＩ信号、及び基地局ワイヤレス信号の少なくとも１つであることを特徴とする、請求項８に記載の方法。
【請求項１０】
前記測位端末によって、前記測位信号を送信するタイプ及び／又は頻度を更新するために、前記アプリケーションサーバから測位モード及び／又は測位頻度を受信するステップ
を更に含むことを特徴とする、請求項８に記載の方法。
【請求項１１】
前記測位端末によって、前記アプリケーションサーバによって送信されたサービス処理情報を受信するステップ
を更に含むことを特徴とする、請求項８に記載の方法。
【請求項１２】
前記測位端末が、前記アプリケーションサーバによって送信された前記サービス処理情報を受信する前記ステップが、
前記測位端末によって、前記アプリケーションサーバによって送信され、前記測位端末に関する前記位置情報に基づいて特定されたジオフェンシングリマインダ通知を受信するステップ
を含むことを特徴とする、請求項１１に記載の方法。
【請求項１３】
前記測位端末が、前記アプリケーションサーバによって送信された前記サービス処理情報を受信する前記ステップが、
前記測位端末によって、前記アプリケーションサーバによって送信された、前記測位端末に配達物を分配する旨の通知を受信するステップを含み、前記測位端末が、前記アプリケーションクライアントによって送信された配達物分配要求での前記配達物の位置と、少なくとも１つの測位端末に関する位置情報とに従って、前記アプリケーションサーバによって検索される適合位置を有する
ことを特徴とする、請求項１１に記載の方法。
【請求項１４】
前記測位端末が、ウェアラブルデバイスに組み込まれた電子チップである
ことを特徴とする、請求項８〜１３のいずれか一項に記載の方法。
【請求項１５】
位置情報に基づくサービス処理方法であって、
アプリケーションクライアントによって、測位端末を制御するために端末監視要求をアプリケーションサーバに送信するステップ、及び／又は
前記アプリケーションクライアントによって、サービス処理規則に従って、及び前記アプリケーションサーバからの前記測位端末に関する位置情報に基づいて特定されたサービス処理情報を取得するステップ
を含むことを特徴とする、方法。
【請求項１６】
前記アプリケーションクライアントが、前記測位端末を制御するために前記端末監視要求を前記アプリケーションサーバに送信する前記ステップが、
前記アプリケーションクライアントによって、前記アプリケーションサーバを介して測位信号を送信する前記測位端末のタイプ及び／又は頻度を制御するために、測位モード及び／又は測位頻度を前記アプリケーションサーバに送信するステップ
を含むことを特徴とする、請求項１５に記載の方法。
【請求項１７】
前記アプリケーションクライアントが、前記測位端末を制御するために前記端末監視要求を前記アプリケーションサーバに送信する前記ステップが、
前記アプリケーションクライアントによって、ジオフェンシング設定要求を前記アプリケーションサーバに送信し、前記ジオフェンシング設定要求によって特定されたターゲット測位端末に関する位置情報に従って、ジオフェンシングリマインダ通知を前記ターゲット測位端末に送信するように前記アプリケーションサーバを制御するステップ
を含むことを特徴とする、請求項１５に記載の方法。
【請求項１８】
前記アプリケーションクライアントが、前記サービス処理規則に従って、及び前記測位端末に関する前記位置情報に基づいて特定された前記サービス処理情報を前記アプリケーションサーバから取得する前記ステップが、
前記アプリケーションクライアントによって、測位検索要求を前記アプリケーションサーバに送信するステップと、
前記アプリケーションクライアントによって、前記アプリケーションサーバによって返される測位検索結果を受信するステップと
を含み、前記測位検索結果が、前記測位検索要求に従って前記アプリケーションサーバによって特定されるシーク対象の測位端末に関する位置情報であることを特徴とする、請求項１５に記載の方法。
【請求項１９】
前記アプリケーションクライアントが、前記サービス処理規則に従って、及び前記測位端末に関する前記位置情報に基づいて特定された前記サービス処理情報を前記アプリケーションサーバから取得する前記ステップが、
前記アプリケーションクライアントによって、物流リアルタイム測位要求を前記アプリケーションサーバに送信するステップと、
前記アプリケーションクライアントによって、前記アプリケーションサーバによって返され、前記物流リアルタイム測位要求に従って前記アプリケーションサーバによって特定された、物流測位端末に関する位置情報を受信するステップと
を含むことを特徴とする、請求項１５に記載の方法。
【請求項２０】
前記アプリケーションクライアントが、前記サービス処理規則に従って、及び前記測位端末に関する前記位置情報に基づいて特定された前記サービス処理情報を前記アプリケーションサーバから取得する前記ステップが、
前記アプリケーションクライアントによって、配達物分配要求を前記アプリケーションサーバに送信するステップと、
前記アプリケーションクライアントによって、前記アプリケーションサーバによって返される、ターゲット測位端末に配達物を分配する旨の通知を受信するステップと
を含み、前記ターゲット測位端末が、前記配達物分配要求での配達物の位置と、少なくとも１つの測位端末に関する位置情報とに従って、前記アプリケーションサーバによって検索される適合位置を有する測位端末であることを特徴とする、請求項１５に記載の方法。
【請求項２１】
アプリケーションサーバ内に構成された位置情報に基づくサービス処理装置であって、
測位端末によって送信された測位信号を取得するための測位信号取得ユニットと、
前記測位信号に従って前記測位端末に関する位置情報を特定するための位置情報特定ユニットと、
サービス処理規則に従って、及び前記測位端末に関する前記位置情報に基づいて、サービス処理情報をアプリケーションクライアント及び／又は測位端末に送信するためのサービス処理情報送信ユニットと
を備えることを特徴とする、装置。
【請求項２２】
前記位置情報特定ユニットが、
前記測位信号に従って前記測位端末の位置点を特定するため、及び／又は
少なくとも２つの時点で取得された前記測位信号に従って前記測位端末の位置軌跡を特定するため、及び／又は
前記測位信号に従って前記測位端末のジオフェンシングを特定するため、及び／又は
前記測位信号に従って前記測位端末の位置点及びシステム時刻を特定するため
に特に使用されることを特徴とする、請求項２１に記載の装置。
【請求項２３】
前記装置が、
ローカルで予め設定された、若しくは前記アプリケーションクライアントによって送信された測位モード及び／又は測位頻度を取得するための測位パラメータ取得ユニットと、
測位信号を送信する前記測位端末のタイプ及び／又は頻度を制御するために前記測位モード及び／又は測位頻度を前記測位端末に送信するための測位パラメータ送信ユニットと
を更に備えることを特徴とする、請求項２１に記載の装置。
【請求項２４】
前記サービス処理情報送信ユニットが、
アプリケーションクライアントによって送信された測位検索要求を受信するため、
前記測位検索要求に従ってシーク対象の測位端末を特定するため、及び
シーク対象の前記測位端末に関する位置情報に基づいて測位検索結果を前記アプリケーションクライアントに送信するため
に特に使用されることを特徴とする、請求項２１に記載の装置。
【請求項２５】
前記サービス処理情報送信ユニットが、
前記アプリケーションクライアントによって送信されたジオフェンシング設定要求を受信するため、
前記ジオフェンシング設定要求に従ってターゲット測位端末を特定するため、及び
前記ジオフェンシング設定要求でのサービス処理規則に従って、及び前記ターゲット測位端末に関する位置情報に基づいて、ジオフェンシングリマインダ通知を前記ターゲット測位端末に送信するため
に特に使用されることを特徴とする、請求項２１に記載の装置。
【請求項２６】
前記サービス処理情報送信ユニットが、
前記アプリケーションクライアントによって送信された物流リアルタイム測位要求を取得するため、
前記物流リアルタイム測位要求に従って物流測位端末を特定するため、及び
前記物流測位端末に関する位置情報に基づいて、前記物流測位端末に関する位置情報を前記アプリケーションクライアントにリアルタイムで送信するため
に特に使用されることを特徴とする、請求項２１に記載の装置。
【請求項２７】
前記サービス処理情報送信ユニットが、
前記アプリケーションクライアントによって送信された配達物分配要求を取得するため、
前記配達物分配要求での配達物の位置と、少なくとも１つの測位端末に関する位置情報とに従って、適合位置を有するターゲット測位端末を検索するため、及び
前記ターゲット測位端末に前記配達物を分配する旨の通知を、前記ターゲット測位端末及び／又はアプリケーションクライアントに送信するため
に特に使用されることを特徴とする、請求項２１に記載の装置。
【請求項２８】
測位端末内に構成された位置情報に基づくサービス処理装置であって、
現在位置の測位信号を収集するための測位信号収集ユニットと、
前記測位信号をアプリケーションサーバに送信するための測位信号送信ユニットと
を備え、それにより、前記アプリケーションサーバが、前記測位信号に従って前記測位端末に関する位置情報を特定し、サービス処理規則に従って、及び前記測位端末に関する前記位置情報に基づいて、サービス処理情報をアプリケーションクライアントと交換することを特徴とする、装置。
【請求項２９】
前記測位信号が、ＧＰＳ信号、ＷＩＦＩ信号、及び基地局ワイヤレス信号の少なくとも１つであることを特徴とする、請求項２８に記載の方法。
【請求項３０】
前記装置が、
測位信号を送信するタイプ及び／又は頻度を更新するために、前記アプリケーションサーバから測位モード及び／又は測位頻度を受信するための測位パラメータ受信ユニット
を更に備えることを特徴とする、請求項２８に記載の装置。
【請求項３１】
前記装置が、
前記アプリケーションサーバによって送信されたサービス処理情報を受信するためのサービス処理情報受信ユニット
を更に備えることを特徴とする、請求項２８に記載の装置。
【請求項３２】
前記測位端末が、ウェアラブルデバイスに組み込まれた電子チップである
ことを特徴とする、請求項２８〜３１のいずれか一項に記載の装置。
【請求項３３】
アプリケーションクライアント内に構成された位置情報に基づくサービス処理装置であって、
測位端末を制御するために端末監視要求をアプリケーションサーバに送信するための監視要求送信ユニット、及び／又は
サービス処理規則に従って、及び前記測位端末に関する位置情報に基づいて特定されたサービス処理情報を、前記アプリケーションサーバから取得するためのサービス処理情報取得ユニット、
を備えることを特徴とする、装置。
【請求項３４】
前記サービス処理情報取得ユニットが、
測位検索要求を前記アプリケーションサーバに送信するため、及び
前記アプリケーションサーバによって返される測位検索結果を受信するため
に特に使用され、前記測位検索結果が、前記測位検索要求に従って前記アプリケーションサーバによって特定されるシーク対象の測位端末に関する位置情報であることを特徴とする、請求項３３に記載の装置。
【請求項３５】
前記サービス処理情報取得ユニットが、
物流リアルタイム位置要求を前記アプリケーションサーバに送信するため、及び
前記アプリケーションサーバによって返され、前記物流リアルタイム測位要求に従って前記アプリケーションサーバによって特定された物流測位端末に関する位置情報を、受信するため
に特に使用されることを特徴とする、請求項３３に記載の装置。
【請求項３６】
前記サービス処理情報取得ユニットが、
配達物分配要求を前記アプリケーションサーバに送信するため、及び
前記アプリケーションサーバによって返される、ターゲット測位端末に配達物を分配する旨の通知を受信するため
に特に使用され、前記ターゲット測位端末が、前記配達物分配要求での配達物の位置と、少なくとも１つの測位端末に関する位置情報とに従って、前記アプリケーションサーバによって検索される適合位置を有する測位端末であることを特徴とする、請求項３３に記載の装置。
【発明の詳細な説明】
【技術分野】
【０００１】
本発明の実施形態は、測位技術、特に、位置情報に基づくサービス処理方法及び装置に関する。
【背景技術】
【０００２】
通信技術及び端末技術の継続的な発展と共に、ますます多くのサービス提供者が、ＬＢＳ（ロケーションベースサービス）技術に基づいてユーザへのサービスを提供する。ＬＢＳは、全地球測位システムと組み合わされた移動体通信ネットワークによって提供される付加価値サービスである。
【０００３】
現在、様々な産業でのサービス提供者が、主にユーザの現在位置に従って、ユーザに関連サービスを提供する。例えば、大きな博物館のオーディオガイドデバイスが、ハンドセットの使用位置を知覚することによって、対応するツアーガイドサービスを旅行者に提供したり、移動体端末ベースのＢａｉｄｕ  Ｍａｐが、移動体端末の位置変化を知覚することによって、ナビゲーションサービスを運転者に提供したりする。
【０００４】
しかし、技術の発達と共に、ロケーションベースサービスに対する人々の要求はますます高まっており、従来のロケーションベースサービスは、個別のカスタマイズされたロケーションベースサービスに対する人々の高まる要求を満たすことができない。
【発明の概要】
【発明が解決しようとする課題】
【０００５】
本発明において、既存のロケーションベースサービス技術を最適化し、個別のカスタマイズされたロケーションベースサービスに対する人々の高まる要求を満たす、位置情報に基づくサービス処理方法及び装置が提供される。
【課題を解決するための手段】
【０００６】
第１の態様では、位置情報に基づくサービス処理方法が、本発明の実施形態で提供される。位置情報に基づくこのサービス処理方法は、
アプリケーションサーバによって、測位端末によって送信された測位信号を取得するステップと、
アプリケーションサーバによって、測位信号に従って測位端末に関する位置情報を特定するステップと、
アプリケーションサーバによって、サービス処理規則に従って、及び測位端末に関する位置情報に基づいて、サービス処理情報をアプリケーションクライアント及び／又は測位端末に送信するステップと
を含む。
【０００７】
第２の態様でも、位置情報に基づくサービス処理方法が、本発明の実施形態で提供される。位置情報に基づくこのサービス処理方法は、
測位端末によって、現在位置の測位信号を収集するステップと、
測位端末によって、測位信号をアプリケーションサーバに送信するステップと
を含み、それにより、アプリケーションサーバは、測位信号に従って測位端末に関する位置情報を特定し、サービス処理規則に従って、及び測位端末に関する位置情報に基づいて、サービス処理情報をアプリケーションクライアントと交換する。
【０００８】
第３の態様でも、位置情報に基づくサービス処理方法が、本発明の実施形態で提供される。位置情報に基づくこのサービス処理方法は、
アプリケーションクライアントによって、測位端末を制御するために端末監視要求をアプリケーションサーバに送信するステップ、及び／又は
アプリケーションクライアントによって、サービス処理規則に従って、及びアプリケーションサーバからの測位端末に関する位置情報に基づいて特定されたサービス処理情報を取得するステップ
を含む。
【０００９】
第４の態様では、位置情報に基づくサービス処理装置が、本発明の実施形態で提供され、このサービス処理装置は、アプリケーションサーバ内に構成され、位置情報に基づくサービス処理装置が、
測位端末によって送信された測位信号を取得するための測位信号取得ユニットと、
測位信号に従って測位端末に関する位置情報を特定するための位置情報特定ユニットと、
サービス処理規則に従って、及び測位端末に関する位置情報に基づいて、サービス処理情報をアプリケーションクライアント及び／又は測位端末に送信するためのサービス処理情報送信ユニットと
を備える。
【００１０】
第５の態様でも、位置情報に基づくサービス処理装置が、本発明の実施形態で提供され、このサービス処理装置は、測位端末内に構成され、位置情報に基づくサービス処理装置が、
現在位置の測位信号を収集するための測位信号収集ユニットと、
測位信号をアプリケーションサーバに送信するための測位信号送信ユニットと
を備え、それにより、アプリケーションサーバは、測位信号に従って測位端末に関する位置情報を特定し、サービス処理規則に従って、及び測位端末に関する位置情報に基づいて、サービス処理情報をアプリケーションクライアントと交換する。
【００１１】
第６の態様でも、位置情報に基づくサービス処理装置が、本発明の実施形態で提供され、このサービス処理装置は、アプリケーションクライアント内に構成され、位置情報に基づくサービス処理装置が、
測位端末を制御するために端末監視要求をアプリケーションサーバに送信するための監視要求送信ユニット、及び／又は
サービス処理規則に従って、及び測位端末に関する位置情報に基づいて特定されたサービス処理情報を、アプリケーションサーバから取得するためのサービス処理情報取得ユニット、
を備える。
【００１２】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明の実施形態は、従来のロケーションベースサービスが、個別のカスタマイズされたロケーションベースサービスに対する人々の高まる要求を満たすことができないという技術的な問題を解決し、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【図面の簡単な説明】
【００１３】
【図１】本発明の第１の実施形態による位置情報に基づくサービス処理方法のフローチャート
【図２】本発明の第２の実施形態による位置情報に基づくサービス処理方法のフローチャート
【図３】本発明の第３の実施形態による位置情報に基づくサービス処理方法のフローチャート
【図４】本発明の第４の実施形態による位置情報に基づくサービス処理方法のフローチャート
【図５】本発明の第５の実施形態による位置情報に基づくサービス処理方法のフローチャート
【図６】本発明の第６の実施形態による位置情報に基づくサービス処理方法のフローチャート
【図７】本発明の第７の実施形態による位置情報に基づくサービス処理方法のフローチャート
【図８】本発明の第８の実施形態による位置情報に基づくサービス処理方法のフローチャート
【図９】本発明の実施形態に適用可能な適用シナリオの概略図
【図１０】本発明の実施形態に適用可能な適用シナリオの概略図
【図１１】本発明の第９の実施形態による位置情報に基づくサービス処理装置の構造図
【図１２】本発明の第１０の実施形態による位置情報に基づくサービス処理装置の構造図
【図１３】本発明の第１１の実施形態による位置情報に基づくサービス処理装置の構造図
【発明を実施するための形態】
【００１４】
本発明を、添付図面及び実施形態に関連付けて以下に更に詳細に説明する。本明細書で述べる特定の実施形態は、本発明を限定するものではなく、本発明を説明する目的でのみ使用されていることが理解できよう。更に、説明の便宜上、添付図面は、全ての構造ではなく、本発明に関係付けられる幾つかの部分のみを示すことに留意する必要もある。
【００１５】
測位端末と、アプリケーションサーバと、アプリケーションクライアントとが、本発明の様々な実施形態を実施するために協働して使用されるものとする。測位端末は、特に、測位信号処理機能を有する様々な端末デバイス、例えば、スマートフォン、タブレットコンピュータ、測位情報処理機能を有する電子チップ、及び上述した電子チップと一体化されたウェアラブルデバイスを含み得る。アプリケーションサーバは、特に、測位端末によって報告される測位信号に主に基づいて測位機能を実施し、また、測位によって取得された位置情報に基づいて特定のサービス処理機能を実施するような、位置情報に基づいてサービス処理サービスを提供するサーバとされ得る。アプリケーションクライアントは、特に、測位端末を制御し、又はサービス処理情報を取得する端末デバイス、例えば、スマートフォン、タブレットコンピュータ、又はデスクトップであってもよい。アプリケーションクライアントと測位端末とは、それぞれ独立した物理的デバイスであってもよく、したがって、アプリケーションクライアントが位置するデバイスは、測位信号処理機能を有する必要はなく、他の場所に位置する他の測位端末のサービス処理プロセスを制御することができ、それにより、位置情報に基づいて実施されるサービス処理の形態を拡充する。
【００１６】
本発明の第１〜第５の実施形態は、アプリケーションサーバに重点を置いて詳細に説明する。本発明の第６及び第７の実施形態は、測位端末に重点を置いて詳細に説明する。本発明の第８の実施形態は、アプリケーションクライアントに重点を置いて詳細に説明する。
【００１７】
第１の実施形態
図１は、本発明の第１の実施形態で提供される位置情報に基づくサービス処理方法のフローチャートである。この実施形態の方法は、位置情報に基づいてサービス処理装置によって実行され得る。この装置は、ハードウェア及び／又はソフトウェアによって実装することができ、一般には、位置情報に基づいてサービス処理サービスを提供することが可能なアプリケーションサーバに組み込んで、測位端末及びアプリケーションクライアントと協働して使用することができる。アプリケーションサーバは、サービス提供者のサーバ又は第三者サーバでよく、１つのサーバでも、複数のサーバのクラスタでもよいが、これらに限定されない。この実施形態の方法は、特に、以下のような操作を含む。
１１０．アプリケーションサーバが、測位端末によって送信された測位信号を取得する。
【００１８】
この実施形態では、測位端末によって送信され、アプリケーションサーバによって取得される測位信号は、測位端末の位置を特定することが可能な任意の測位信号、例えば、ＧＰＳ（全地球測位システム）信号、基地局ワイヤレス信号、ＷＩＦＩ（ワイファイ；Ｗｉｒｅｌｅｓｓ−Ｆｉｄｅｌｉｔｙ）信号、及び上述した３つの信号の任意の組み合わせでよい。
【００１９】
この実施形態では、測位端末によって送信され、アプリケーションサーバによって取得される測位信号は、直接的な測位信号に関連付けられる補完測位信号、例えば、測位端末が直接的な測位信号を取得したシステム時刻や、直接的な測位信号を送信する測位端末の端末識別子を備えることもあるが、これらに限定されない。
【００２０】
アプリケーションサーバは、好ましくは、測位端末によって送信された測位信号をワイヤレスで取得し、任意の適切なプロトコルに基づいてこの測位信号を送信することができ、例えばＴＣＰ／ＨＴＴＰプロトコルによって測位信号が送信される。
【００２１】
１２０．アプリケーションサーバが、測位信号に従って測位端末に関する位置情報を特定する。
【００２２】
測位端末に関する位置情報は、個別に、又は組み合わせて実装される様々な特定の内容及び形態を有することができ、これらを以下に具体的に述べる。
第１に、この実施形態では、アプリケーションサーバによって測位信号に従って特定される測位端末に関する位置情報は、測位端末の位置点であってもよい。
【００２３】
アプリケーションサーバは、測位端末の位置点として、測位端末の位置に関する緯度及び経度情報を特定することができる。
【００２４】
特に、アプリケーションサーバは、１タイプの測位信号、例えばＧＰＳ信号、基地局ワイヤレス信号、又はＷＩＦＩ信号のみに従って測位端末の位置点を特定してもよい。測位端末は、少なくとも２タイプの測位信号に従って測位端末の位置点を特定してもよく、例えば、ＧＰＳ信号を受信することができるときには、ＧＰＳ信号に従って測位端末の位置点が特定され、ＧＰＳ信号を受信することができないときには、ＧＰＳ信号に従って特定された最後の位置点の周りのＷＩＦＩ信号を使用して測位端末の位置点が特定されてもよい。当然、アプリケーションサーバは、他の方法で測位端末の位置点を特定することもでき、これらに限定されない。
【００２５】
第２に、この実施形態では、アプリケーションサーバによって測位信号に従って特定される測位端末に関する位置情報は、測位端末の位置軌跡であってもよい。
【００２６】
アプリケーションサーバは、測位端末の位置軌跡として、同じ測位端末に対応する少なくとも２つの位置点を時間シーケンスに従ってつないだ結果を使用することができる。
【００２７】
特に、アプリケーションサーバは、少なくとも２つの時点で取得された測位信号に従って測位端末の位置軌跡を特定することができる。
【００２８】
第３に、この実施形態では、アプリケーションサーバによって測位信号に従って特定される測位端末に関する位置情報は、測位端末のジオフェンシングでもよい。
【００２９】
特に、アプリケーションサーバは、測位端末の取得された位置信号と、予め設定されたジオフェンシング情報とに従った比較によって、測位端末の位置とジオフェンシングとの位置関係を取得する。特に、予め設定されたジオフェンシング内に測位端末が位置するかどうか特定することができ、又は予め設定されたジオフェンシング境界に測位端末が近付く若しくはそこを越えるかどうか監視することができる。
【００３０】
第４に、この実施形態では、アプリケーションサーバによって測位信号に従って特定される測位端末に関する位置情報は、測位端末の位置点やシステム時刻などでよい。
【００３１】
当然、位置情報は、より高度でもよく、例えば位置軌跡とそのシステム時刻であってもよい。
【００３２】
１３０．アプリケーションサーバが、サービス処理規則に従って、及び測位端末に関する位置情報に基づいて、サービス処理情報をアプリケーションクライアント及び／又は測位端末に送信する。
【００３３】
この実施形態では、サービス処理規則は、特に、サービス属性又はサービス要件（例えば測位要件又はロケーションベースサービス処理要件）に従って作成される処理規則であってもよい。特に、クライアント及び／又は測位端末がアプリケーションサーバに情報を送信するための規則、並びにクライアント及び／又は測位端末によって送信された情報に従ってアプリケーションサーバによって選択される処理規則に関するものであってもよい。サービス処理規則は、アプリケーションサーバに予め設定されても、アプリケーションクライアント送信要求によってリアルタイムで設定されてもよい。
【００３４】
したがって、サービス処理情報は、特に、アプリケーションサーバによって測位端末に関する位置情報に従って生成され、設定されたサービス属性に適合する、又は特定のサービス要件を満たすデータ処理結果であってもよい。
【００３５】
例えば、アプリケーションクライアントがアプリケーションサーバを介して測位端末を測位するためのサービス要件に関して、上述したサービス処理規則は、特に、アプリケーションサーバが、アプリケーションクライアントによって送信された測位検索要求に従って、サービス処理情報として、測位検索要求によって特定された測位端末に関する位置情報をアプリケーションクライアントに返すというものでよい。
別の例では、アプリケーションクライアントがアプリケーションサーバを介して測位端末に関するジオフェンシングを設定するためのサービス要件に関して、上述したサービス処理規則は、特に、アプリケーションサーバが、アプリケーションクライアントによって送信されたジオフェンシング設定要求に従って、及びジオフェンシング設定要求によって特定されたターゲット測位端末に関する位置情報に従って、ジオフェンシングリマインダ通知をターゲット測位端末に送信するというものでよい。
【００３６】
当然、当業者は、実用上の要件に従ってサービス処理規則を設定することができ、これは、この実施形態によって限定されない。
【００３７】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。アプリケーションクライアントと測位端末は物理的に別個に構成されることがあり、それぞれが、サービス制御及び測位信号のアップロードなどの機能を有するので、位置情報に基づくより高度な、より新規のサービス処理モードが提供される。
【００３８】
上述した実施形態に基づいて、この方法は、
アプリケーションサーバによって、ローカルで予め設定された、若しくはアプリケーションクライアントによって送信された測位モード（ＧＰＳ測位モード又は基地局測位モードなど）を取得し、アプリケーションサーバによって、測位端末によって送信される測位信号のタイプ（ＧＰＳ信号又は基地局ワイヤレス信号など）を制御するために測位モードを測位端末に送信するステップ、又は
アプリケーションサーバによって、ローカルで予め設定された、若しくはアプリケーションクライアントによって送信された測位頻度（５秒又は１０秒毎の測位など）を取得し、アプリケーションサーバによって、測位端末の測位頻度（５秒又は１０秒毎の測位など）を制御するために測位モードを測位端末に送信するステップ、又は
アプリケーションサーバによって、ローカルで予め設定された、若しくはアプリケーションクライアントによって送信された測位モード及び測位頻度を取得し、アプリケーションサーバによって、測位端末によって送信される測位信号のタイプ及び測位頻度を制御するために測位モード及び測位頻度を測位端末に送信するステップ
を更に含むこともできる。
【００３９】
このセットアップの利点は、アプリケーションサーバが、単純に、受動的に、測位端末によって送信された測位信号を単に取得するのではなく、実用上の要件に従って測位端末によって送信された測位信号のタイプ及び測位頻度を制御することができ、それにより、測位信号を取得するアプリケーションサーバの柔軟性、一般性、及び適用性を改良することである。
【００４０】
第２の実施形態
図２は、本発明の第２の実施形態による位置情報に基づくサービス処理方法のフローチャートである。アプリケーションサーバが、サービス処理規則に従って、及び測位端末に関する位置情報に基づいて、サービス処理情報をアプリケーションクライアントに送信するという動作は、様々なシナリオに適用することができ、様々な実装形態が提供される。この実施形態は、上述した実施形態に基づいて、好ましい実装形態を提供するように最適化される。すなわち、アプリケーションサーバが、アプリケーションクライアントによって送信された測位検索要求を受信し、アプリケーションサーバが、測位検索要求に従ってシーク対象の測位端末を特定し、アプリケーションサーバが、シーク対象の測位端末に関する位置情報に基づいて、アプリケーションクライアントに測位検索結果を送信する。
【００４１】
それに従って、この実施形態の方法は、以下のような操作を含む。
２１０．アプリケーションサーバが、測位端末によって送信された測位信号を取得する。
２２０．アプリケーションサーバが、測位信号に従って測位端末に関する位置情報を特定する。
２３０．アプリケーションサーバが、アプリケーションクライアントによって送信された測位検索要求を受信する。
【００４２】
この実施形態では、アプリケーションクライアントによって送信され、アプリケーションサーバによって取得される測位検索要求は、特に、少なくとも１つの指定された測位端末、又は設定された検索条件に見合う測位端末に関してアプリケーションクライアントが位置検索（位置点又は位置軌跡など）を行うという要求である。
【００４３】
アプリケーションサーバは、検索サービス提供インターフェース（例えば、アプリケーションプログラムが設定されている検索エンジンエントランス又は入力インターフェースなど）を設定することによって、アプリケーションクライアントによって送信された測位検索要求を受信することができる。
【００４４】
２４０．アプリケーションサーバが、測位検索要求に従って、シーク対象の測位端末を特定する。
【００４５】
この実施形態では、アプリケーションサーバは、測位検索要求に含まれる端末識別子情報に従って、シーク対象の測位端末を特定してもよい。
【００４６】
２５０．アプリケーションサーバが、シーク対象の測位端末に関する位置情報に基づいて、アプリケーションクライアントに測位検索結果を送信する。
【００４７】
この実施形態では、アプリケーションサーバは、測位端末の端末識別子に対応する位置情報を記憶する。アプリケーションサーバは、測位端末の現時点に関する位置情報を記憶することができ、また、測位端末に関する履歴位置情報を記憶することもでき、また、現時点に関する位置情報と測位端末に関する履歴位置情報とを同時に記憶することもでき、これらに限定されない。
【００４８】
この実施形態では、アプリケーションサーバは、受信された測位検索要求の要求タイプと、シーク対象の測位端末に関する位置情報とに従って、対応する測位検索結果を生成し、それをアプリケーションクライアントに送信する。
【００４９】
例えば、アプリケーションクライアントによって送信される測位検索要求は、「２０１４年８月２９日〜２０１４年８月３１日」の期間での、端末識別子「ＡＢＣ」と「ＤＦＥ」を有するシーク対象の２つの測位端末に関する位置軌跡検索要求を含み、アプリケーションサーバは、そこに記憶されており、上述した期間でのそれぞれ端末識別子「ＡＢＣ」と「ＤＦＥ」に対応する測位端末の位置軌跡を測位検索結果として検索し、対応するアプリケーションクライアントにそれを送信する。
【００５０】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【００５１】
第３の実施形態
図３は、本発明の第３の実施形態による位置情報に基づくサービス処理方法のフローチャートである。この実施形態は、アプリケーションサーバが、サービス処理規則に従って、及び測位端末に関する位置情報に基づいて、測位端末にサービス処理情報を送信するという動作に関して、上述した実施形態に基づいて、別の好ましい実装形態を提供するように最適化され、すなわち、アプリケーションサーバが、アプリケーションクライアントによって送信されたジオフェンシング設定要求を受信し、アプリケーションサーバが、ジオフェンシング設定要求に従ってターゲット測位端末を特定し、アプリケーションサーバが、ジオフェンシング設定要求でのサービス処理規則に従って、及びターゲット測位端末に関する位置情報に基づいて、ジオフェンシングリマインダ通知をターゲット測位端末に送信する。
【００５２】
それに従って、この実施形態の方法は、以下のような操作を含む。
３１０．アプリケーションサーバが、測位端末によって送信された測位信号を取得する。
３２０．アプリケーションサーバが、測位信号に従って測位端末に関する位置情報を特定する。
３３０．アプリケーションサーバが、アプリケーションクライアントによって送信されたジオフェンシング設定要求を受信する。
【００５３】
この実施形態では、アプリケーションクライアントによって送信され、アプリケーションサーバによって取得されるジオフェンシング設定要求は、特に、少なくとも１つの指定された測位端末、又は設定された検索条件に見合う測位端末に関してアプリケーションクライアントがジオフェンシング設定を行うという要求であり、特に、ジオフェンシングの領域又は特定条件を設定することができ、測位端末に対してリマインダ通知を行うストラテジが設定される。
【００５４】
３４０．アプリケーションサーバが、ジオフェンシング設定要求に従ってターゲット測位端末を特定する。
【００５５】
３５０．アプリケーションサーバが、ジオフェンシング設定要求でのサービス処理規則に従って、及びターゲット測位端末に関する位置情報に基づいて、ジオフェンシングリマインダ通知をターゲット測位端末に送信する。
【００５６】
この実施形態では、ジオフェンシング設定要求でのサービス処理規則は、特にジオフェンシング設定要求に含まれるジオフェンシング境界値に関する緯度及び経度情報と、ターゲット測位端末に関する位置情報とに従って、ジオフェンシングリマインダ通知をターゲット測位端末に送信するかどうか特定することであってもよい。
【００５７】
この実施形態の特定の適用シナリオでは、アプリケーションクライアントは、端末識別子「１２３」を有する測位端末に関する４つの境界点Ａ、Ｂ、Ｃ、及びＤによって構成されたジオフェンシング境界を設定し、ジオフェンシング設定要求をアプリケーションサーバに送信する。アプリケーションサーバは、測位端末「１２３」の現在位置点に従って測位端末「１２３」が領域ＡＢＣＤから出ると判定すると、対応するジオフェンシングリマインダ通知を測位端末「１２３」に送信する。
【００５８】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【００５９】
第４の実施形態
図４は、本発明の第４の実施形態による位置情報に基づくサービス処理方法のフローチャートである。この実施形態は、アプリケーションサーバが、サービス処理規則に従って、及び測位端末に関する位置情報に基づいて、サービス処理情報を測位端末に送信するという動作に関して、上述した実施形態に基づいて、別の好ましい実装形態を提供するように最適化され、すなわち、アプリケーションサーバが、アプリケーションクライアントによって送信された物流リアルタイム測位要求を取得し、アプリケーションサーバが、物流リアルタイム測位要求に従って物流測位端末を特定し、アプリケーションサーバが、物流測位端末に関する位置情報に基づいて、物流測位端末に関する位置情報をアプリケーションクライアントにリアルタイムで送信する。
【００６０】
それに従って、この実施形態の方法は、以下のような操作を含む。
４１０．アプリケーションサーバが、測位端末によって送信された測位信号を取得する。
４２０．アプリケーションサーバが、測位信号に従って測位端末に関する位置情報を特定する。
４３０．アプリケーションサーバが、アプリケーションクライアントによって送信された物流リアルタイム測位要求を取得する。
【００６１】
この実施形態では、アプリケーションクライアントによって送信され、アプリケーションサーバによって取得される物流リアルタイム測位要求は、特に、少なくとも１つの指定された物流測位端末、又は設定された検索条件に見合う物流測位端末に関してアプリケーションクライアントによって成されるリアルタイム測位要求である。
【００６２】
物流測位端末は、特に、物流品用に構成された測位端末や、物流品を配達する配達スタッフ用に構成された測位端末などでよいが、これらに限定されない。
【００６３】
４４０．アプリケーションサーバが、物流リアルタイム測位要求に従って物流測位端末を特定する。
【００６４】
４５０．アプリケーションサーバが、物流測位端末に関する位置情報に基づいて、物流測位端末に関する位置情報をアプリケーションクライアントにリアルタイムで送信する。
【００６５】
この実施形態の特定の適用シナリオでは、オンラインで購入された物品に関するリアルタイム位置情報を取得するためのアプリケーションクライアント（例えば、物流提供者サーバ又は第三者サーバに構成されたアプリケーションクライアント、又はオンラインショッピング利用者のインテリジェント端末にインストールされたアプリケーションクライアント）は、物流測位端末に関する位置情報として、オンラインで購入された物品の配達員用に構成された測位端末に関する位置情報をアプリケーションサーバから取得する必要がある。オンラインショッピング利用者は、注文番号などの識別子を入力することによって、配達員の測位端末の位置をクエリして、それにより、オンラインで購入した物品の位置を知ることができる。物流業者は、様々な配達員又は配達品の配達状態を知ることができる。
【００６６】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【００６７】
第５の実施形態
図５は、本発明の第５の実施形態による位置情報に基づくサービス処理方法のフローチャートである。この実施形態は、アプリケーションサーバによって、サービス処理規則に従って、及び測位端末に関する位置情報に基づいて、サービス処理情報をアプリケーションクライアント及び／又は測位端末に送信するという動作に関して、上述した実施形態に基づいて、更に別の好ましい実装形態を提供するように最適化される。すなわち、アプリケーションサーバによって、アプリケーションクライアントによって送信された配達物分配要求を取得し、アプリケーションサーバによって、配達物分配要求での配達物の位置と、少なくとも１つの測位端末に関する位置情報とに従って、適合位置を有するターゲット測位端末を検索し、アプリケーションサーバによって、ターゲット測位端末に配達物を分配する旨の通知をターゲット測位端末及び／又はアプリケーションクライアントに送信する。
【００６８】
それに従って、この実施形態の方法は、以下のような操作を含む。
５１０．アプリケーションサーバが、測位端末によって送信された測位信号を取得する。
５２０．アプリケーションサーバが、測位信号に従って測位端末に関する位置情報を特定する。
５３０．アプリケーションサーバが、アプリケーションクライアントによって送信された配達物分配要求を取得する。
【００６９】
この実施形態では、アプリケーションクライアントによって送信され、アプリケーションサーバによって取得される配達物分配要求は、特に、少なくとも１つの配達物を少なくとも２名の配達員に分配するようにアプリケーションクライアントによって送信される要求である。
【００７０】
また、配達物分配要求は、配達物に対応する配達場所及び配達時間などの情報も含むことがあるが、これらに限定されない。
【００７１】
５４０．アプリケーションサーバが、配達物分配要求での配達物の位置と、少なくとも１つの測位端末に関する位置情報とに従って、適合位置を有するターゲット測位端末を検索する。
【００７２】
この実施形態では、測位端末は、特に、上述した配達物の配達員又は配達車両用に構成された測位端末を表す。
【００７３】
アプリケーションサーバは、配達物の配達先の位置と、測位端末に関する位置情報（例えば履歴位置軌跡又は現在位置点）とに対する融合処理を行うことによって、ターゲット測位端末として、配達物を配達するのに最も適した配達員用に構成された測位端末（例えば、その履歴位置軌跡が配達物の配達場所を通る測位端末、又はその履歴位置軌跡での位置点が配達物の配達場所に最も近い測位端末）を検索する。
【００７４】
５５０．アプリケーションサーバが、ターゲット測位端末に配達物を分配する旨の通知を、ターゲット測位端末及び／又はアプリケーションクライアントに送信する。
【００７５】
この実施形態では、ターゲット測位端末を見つけた後、アプリケーションサーバは、ターゲット測位端末に配達物を分配する旨の通知をターゲット測位端末に直接送信することができ、又は、ターゲット測位端末に配達物を分配する旨の通知をアプリケーションクライアントに直接送信することができ、又は、ターゲット測位端末に配達物を分配する旨の通知をターゲット測位端末とアプリケーションクライアントに同時に送信することができるが、これらに限定されない。
【００７６】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【００７７】
上述した様々な好ましい実装形態において、測位信号に基づいて測位端末に関する位置情報を特定するアプリケーションサーバの動作、及びサービス処理を要求するアプリケーションクライアントの動作に関して、その実行順序は特に限定されず、したがって、リアルタイムで位置情報を特定することも、サービス処理要求が取得される前又は後に位置情報を特定することもできる。
【００７８】
第６の実施形態
図６は、本発明の第６の実施形態による位置情報に基づくサービス処理方法のフローチャートである。この実施形態の方法は、位置情報に基づいてサービス処理装置によって実行され得る。装置は、ハードウェア及び／又はソフトウェアによって実装することができ、一般に、測位機能を有する測位端末に組み込み、アプリケーションサーバと協働して使用することができる。測位端末は、特に、測位機能を有するスマートフォンやタブレットコンピュータなどのインテリジェント端末でよく、好ましくは、測位機能を有する電子チップでも、又は上述した測位チップと一体化されたウェアラブルデバイスでもよいが、これらに限定されない。この実施形態の方法は、特に、以下のような操作を含む。
６１０．測位端末が、現在位置の測位信号を収集する。
【００７９】
この実施形態では、測位端末によって収集される現在位置の測位信号は、測位端末の位置を直接特定することが可能な直接的な測位信号、例えば、ＧＰＳ信号、ＷＩＦＩ信号、又は基地局ワイヤレス信号でよいが、これらに限定されない。
【００８０】
この実施形態では、測位端末によって収集される現在位置の測位信号はさらに、直接的な測位信号に関連付けられる補完測位信号、例えば、測位端末が直接的な測位信号を取得したシステム時刻や、直接的な測位信号を送信する測位端末の端末識別子でもよいが、これらに限定されない。
【００８１】
この実施形態の好ましい実装形態では、測位端末は、カスタム設定測位モード又はデフォルト設定測位モードに従って現在位置の測位信号を収集する。
【００８２】
この実施形態の別の好ましい実装形態では、測位端末は、カスタム設定測位頻度又はデフォルト設定測位頻度に従って現在位置の測位信号を収集する。
【００８３】
６２０．測位端末が、測位信号をアプリケーションサーバに送信し、それにより、アプリケーションサーバは、測位信号に従って測位端末に関する位置情報を特定し、サービス処理規則に従って、及び測位端末に関する位置情報に基づいて、サービス処理情報をアプリケーションクライアントと交換する。
【００８４】
この実施形態では、測位端末は、測位信号をアプリケーションサーバにリアルタイムで送信することも、ＷＩＦＩ信号が環境内で検出されたときに測位信号をアプリケーションサーバに送信することもできるが、これらに限定されない。
【００８５】
測位端末によって、現在位置の測位信号を収集し、測位端末によって、測位信号をアプリケーションサーバに送信し、それにより、アプリケーションサーバが、測位信号に従って測位端末に関する位置情報を特定し、サービス処理規則に従って、及び測位端末に関する位置情報に基づいて、サービス処理情報をアプリケーションクライアントと交換する技術的手段によって、本発明のこの実施形態の技術的解決策は、アプリケーションサーバが様々なサービス処理規則に従って適応するサービス処理情報をアプリケーションクライアント及び／又は測位端末に送信する技術的効果を実現し、既存のロケーションベースサービス技術を最適化し、個別のカスタマイズされたロケーションベースサービスに対する人々の高まる要求を満たす。
【００８６】
上述した実施形態に基づいて、この方法は、
測位端末によって、測位信号を送信するためのタイプを更新するためにアプリケーションサーバから測位モードを受信するステップ、又は
測位端末によって、測位頻度を更新するためにアプリケーションサーバから測位頻度を受信するステップ、及び
測位端末によって、測位信号を送信するためのタイプ及び測位頻度を更新するためにアプリケーションサーバから測位モード及び測位頻度を受信するステップ
を更に含むこともできる。
【００８７】
第７の実施形態
図７は、本発明の第７の実施形態による位置情報に基づくサービス処理方法のフローチャートである。この実施形態は、上述した実施形態に基づいて最適化され、この実施形態は、好ましくは、アプリケーションサーバによって送信されたサービス処理情報を受信する測位端末も含む。
【００８８】
それに従って、この実施形態の方法は、以下のような操作を含む。
７１０．測位端末が、現在位置の測位信号を収集する。
７２０．測位端末が、測位信号をアプリケーションサーバに送信し、それにより、アプリケーションサーバは、測位信号に従って測位端末に関する位置情報を特定し、サービス処理規則に従って、及び測位端末に関する位置情報に基づいて、サービス処理情報をアプリケーションクライアントと交換する。
７３０．測位端末が、アプリケーションサーバによって送信されたサービス処理情報を受信する。
【００８９】
この実施形態では、測位端末が、アプリケーションサーバによって送信されたサービス処理情報を受信することは、特に、
測位端末が、アプリケーションサーバによって送信され、測位端末に関する位置情報に基づいて特定されたジオフェンシングリマインダ通知を受信すること；又は
測位端末が、アプリケーションサーバによって送信された、測位端末に配達物を分配する旨の通知を受信すること
を含むことがあり、後者の場合、この測位端末は、アプリケーションクライアントによって送信された配達物分配要求での配達物の位置と、少なくとも１つの測位端末に関する位置情報とに従って、アプリケーションサーバによって検索される適合位置を有する測位端末である。
【００９０】
測位端末によって、現在位置の測位信号を収集し、測位端末によって、測位信号をアプリケーションサーバに送信し、それにより、アプリケーションサーバが、測位信号に従って測位端末に関する位置情報を特定し、サービス処理規則に従って、及び測位端末に関する位置情報に基づいて、サービス処理情報をアプリケーションクライアントと交換する技術的手段によって、本発明のこの実施形態の技術的解決策は、アプリケーションサーバが様々なサービス処理規則に従って適応するサービス処理情報をアプリケーションクライアント及び／又は測位端末に送信する技術的効果を実現し、既存のロケーションベースサービス技術を最適化し、個別のカスタマイズされたロケーションベースサービスに対する人々の高まる要求を満たす。
【００９１】
第８の実施形態
図８は、本発明の第８の実施形態による位置情報に基づくサービス処理方法のフローチャートである。この実施形態の方法は、位置情報に基づいてサービス処理装置によって実行され得る。装置は、ハードウェア及び／又はソフトウェアによって実装することができ、一般に、測位端末を制御するため、又はサービス処理情報を取得するための端末デバイスに組み込み、アプリケーションサーバと協働して使用することができ、アプリケーションサーバを介して測位端末を間接的に制御することができる。アプリケーションクライアントは、サービス提供者のクライアントでも、サービスユーザのクライアントでもよいが、これらに限定されない。この実施形態の方法は、特に、以下のような操作を含む。
８１０．アプリケーションクライアントが、測位端末を制御するために端末監視要求をアプリケーションサーバに送信する。
【００９２】
この実施形態では、アプリケーションクライアントが、測位端末を制御するために端末監視要求をアプリケーションサーバに送信するステップは、特に、
アプリケーションクライアントによって、アプリケーションサーバを介して測位端末によって送信される測位信号のタイプを制御するために測位モードをアプリケーションサーバに送信するステップ；又は
アプリケーションクライアントによって、アプリケーションサーバを介して測位信号の測位頻度を制御するために測位頻度をアプリケーションサーバに送信するステップ；又は
アプリケーションクライアントによって、アプリケーションサーバを介して測位端末によって送信される測位信号のタイプ及び頻度を制御するために測位モード及び測位頻度をアプリケーションサーバに送信するステップ
であってもよい。
【００９３】
この実施形態では、アプリケーションクライアントが、測位端末を制御するために端末監視要求をアプリケーションサーバに送信するステップは、
アプリケーションクライアントによって、ジオフェンシング設定要求をアプリケーションサーバに送信し、ジオフェンシング設定要求によって特定されたターゲット測位端末に関する位置情報に従って、ジオフェンシングリマインダ通知をターゲット測位端末に送信するようにアプリケーションサーバを制御するステップ
であってもよい。
【００９４】
８２０．アプリケーションクライアントが、サービス処理規則に従って、及び測位端末に関する位置情報に基づいて特定されたサービス処理情報を、アプリケーションサーバから取得する。
【００９５】
この実施形態では、アプリケーションクライアントが、サービス処理規則に従って、及び測位端末に関する位置情報に基づいて特定されたサービス処理情報を、アプリケーションサーバから取得するステップは、特に、
アプリケーションクライアントによって、測位検索要求をアプリケーションサーバに送信するステップと、アプリケーションクライアントによって、アプリケーションサーバによって返される測位検索結果を受信するステップであって、測位検索結果が、測位検索要求に従って、アプリケーションサーバによって特定されるシーク対象の測位端末に関する位置情報であるステップでよく、
また、特に、アプリケーションクライアントによって、物流リアルタイム測位要求をアプリケーションサーバに送信するステップと、アプリケーションクライアントによって、アプリケーションサーバによって返され、物流リアルタイム測位要求に従ってアプリケーションサーバによって特定された物流測位端末に関する位置情報を受信するステップとでもよく、
或いはまた、アプリケーションクライアントによって、アプリケーションサーバに配達物分配要求を送信するステップと、アプリケーションクライアントによって、アプリケーションサーバから返される、ターゲット測位端末に配達物を分配する旨の通知を受信するステップでもよく、ターゲット測位端末は、配達物分配要求での配達物の位置と、少なくとも１つの測位端末に関する位置情報とに従って、アプリケーションサーバによって検索される適合位置を有する測位端末である。
【００９６】
アプリケーションクライアントによって、測位端末を制御するために端末監視要求をアプリケーションサーバに送信する、及び／又は、アプリケーションクライアントによって、サービス処理規則に従って、及びアプリケーションサーバからの測位端末に関する位置情報に基づいて特定されたサービス処理情報を取得するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【００９７】
第１の好ましい適用シナリオ
現在、ウェアラブルデバイス産業での主要な問題は、位置に依存するウェアラブルデバイスが、ネットワーク測位サービスを必要とすることである。しかし、市場には、ウェアラブルデバイス産業用の技術サポートを提供する優れたネットワーク測位サービス提供者が存在しない。更に、ウェアラブルデバイスは、一般に、アプリケーションプログラム、例えばウェアラブルデバイスの位置点又は移動軌跡をリアルタイムで表示して検索することが可能なアプリケーションプログラムと協働して使用される必要がある。異なるウェアラブルデバイス製造業者が、要件に従って異なるアプリケーションプログラムを開発するであろう。しかし、これらのアプリケーションプログラムの機能は、一般には類似性が高く、したがって、ウェアラブルデバイス製造業者がソフトウェアアプリケーションの開発に資源をそれぞれ投資する場合、産業全体で見ると資源の浪費が大きい。
【００９８】
この好ましい適用シナリオでは、より成熟した技術を有するネットワーク測位サービス提供者（例えば、Ｂａｉｄｕ又はＧｏｏｇｌｅ）が、測位のために、その完全な測位サービスプログラムを電子チップに書き込むことができ、また、電子チップと一体化されたウェアラブルデバイスを使用して、製造業者のためのユニバーサル位置情報クエリ及び管理インターフェースを提供することができ、それにより、上述した技術的問題を解決する。
【００９９】
図９は、本発明のこの実施形態の特定の適用シナリオを示す。図９に示されるように、この好ましい適用シナリオは、ウェアラブルデバイス９１と、ネットワーク測位サーバ９２と、スマートモバイル端末９３とを備える。
【０１００】
ウェアラブルデバイス９１は、本発明の様々な実施形態で述べる測位端末であり、ネットワーク測位サーバ９２は、本発明の様々な実施形態で述べるアプリケーションサーバであり、スマートモバイル端末９３は、本発明の様々な実施形態で述べるアプリケーションクライアントである。
【０１０１】
ウェアラブルデバイス９１は、測位電子チップと一体化され、測位電子チップは、ネットワーク測位サーバ９２のネットワーク測位サービス提供者によって提供される内蔵ＳＤＫ（ソフトウェア開発キット）を設けられる。それに従って、ウェアラブルデバイス９１が、収集された測位信号をネットワーク測位サーバ９２に送信した後、ネットワーク測位サーバ９２は、スマートモバイル端末９３のための対応する測位サービスを提供することができる。
【０１０２】
好ましくは、スマートモバイル端末９３は、ネットワーク測位サーバ９２によって提供される検索インターフェースを介して、ウェアラブルデバイス９１に関する位置情報（位置点、位置軌跡、ジオフェンシングなど）を取得して記憶し、ネットワーク測位サーバ９２を介して、ウェアラブルデバイス９１のパラメータ、例えば、測位モード、測位頻度及びジオフェンシングを設定することができる。
【０１０３】
第２の好ましい適用シナリオ
オンラインショッピングの継続的な成長と共に、物流産業も発展し続けている。現在、物流産業の主要なサービス要件は、以下のようなものである。物流サービスユーザ又は物流サービス提供者が、物品配達員のリアルタイム位置を取得することを望む。更に、物流サービス提供者は、配達品の配達場所、及び物品配達員に関する位置情報に従って、配達品を物品配達員に合理的に分配することを望む。
【０１０４】
この好ましい適用シナリオでは、ネットワーク測位サービス提供者サーバ又は物流サービス提供者サーバが、物品配達員に関する測位情報を取得し、それにより、物流サービスユーザ又は物流サービス提供者の上述したサービス要件を満たす。
【０１０５】
図１０は、本発明のこの実施形態の特定の適用シナリオを示す。図１０に示されるように、この好ましい適用シナリオは、少なくとも２名の物品配達員用に構成された測位端末１０１と、ネットワーク測位サービス機能を提供するためのアプリケーションサーバ１０２と、物流サービスユーザのクライアント１０３と、物流管理者のクライアント１０４とを備える。
【０１０６】
物流サービスユーザのクライアント１０３と、物流管理者のクライアント１０４とはどちらも、本発明の様々な実施形態で述べたアプリケーションクライアントである。
【０１０７】
この好ましい実施形態では、測位端末１０１は、現在の環境の測位信号を収集し、それをアプリケーションサーバ１０２に送信し、アプリケーションサーバ１０２は、取得された測位信号に従って、各測位端末１０１に対応する位置情報を取得して記憶する。
【０１０８】
特定の物品配達員の現在位置点を取得することが望まれる場合、物流サービスユーザは、クライアント１０３を介して、アプリケーションサーバ１０２に物流リアルタイム測位要求を送信し、アプリケーションサーバ１０２によって返される物品配達員に対応する測位端末に関する位置情報を取得することができる。
【０１０９】
配達品を物品配達員に分配することが望まれる場合、物流管理者は、クライアント１０４を介して、アプリケーションサーバ１０２に配達物分配要求を送信し、アプリケーションサーバによって返される、ターゲット測位端末に配達物を分配する旨の通知を取得することができる。
【０１１０】
それに従って、本発明の様々な実施形態は、限定はしないがインテリジェントトラフィック管理及び位置監視など、実用的な適用シナリオに適応させて適用することもできる。
【０１１１】
第９の実施形態
図１１は、本発明の第９の実施形態による、位置情報に基づくサービス処理装置の構造図を示し、この装置は、アプリケーションサーバ内に構成される。図１１に示されるように、装置は、
測位端末によって送信された測位信号を取得するための測位信号取得ユニット１１１と、
測位信号に従って測位端末に関する位置情報を特定するための位置情報特定ユニット１１２と、
サービス処理規則に従って、及び測位端末に関する位置情報に基づいて、サービス処理情報をアプリケーションクライアント及び／又は測位端末に送信するためのサービス処理情報送信ユニット１１３と
を備える。
【０１１２】
アプリケーションサーバによって、測位端末によって送信された測位信号を取得し、アプリケーションサーバによって、測位信号に従って測位端末に関する位置情報を特定し、アプリケーションサーバによって、サービス処理規則に従って、及び測位端末に関する位置情報に基づいて、サービス処理情報をアプリケーションクライアント及び／又は測位端末に送信するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【０１１３】
上述した実施形態に基づいて、位置情報特定ユニットは、
測位信号に従って測位端末の位置点を特定するため、及び／又は
少なくとも２つの時点で取得された測位信号に従って測位端末の位置軌跡を特定するため、及び／又は
測位信号に従って測位端末のジオフェンシングを特定するため、及び／又は
測位信号に従って測位端末の位置点及びシステム時刻を特定するため
に特に使用することができる。
【０１１４】
上述した実施形態に基づいて、この装置は、
ローカルで予め設定された、若しくはアプリケーションクライアントによって送信された測位モード及び／又は測位頻度を取得するための測位パラメータ取得ユニットと、
測位信号を送信する測位端末のタイプ及び／又は頻度を制御するために測位モード及び／又は測位頻度を測位端末に送信するための測位パラメータ送信ユニットと
を更に備えることもある。
【０１１５】
上述した実施形態に基づいて、サービス処理情報送信ユニットは、
アプリケーションクライアントによって送信された測位検索要求を受信するため；
測位検索要求に従ってシーク対象の測位端末を特定するため；及び
シーク対象の測位端末に関する位置情報に基づいて、測位検索結果をアプリケーションクライアントに送信するため
に特に使用することができる。
【０１１６】
上述した実施形態に基づいて、サービス処理情報送信ユニットは、
アプリケーションクライアントによって送信されたジオフェンシング設定要求を受信するため；
ジオフェンシング設定要求に従って、ターゲット測位端末を特定するため；及び
ジオフェンシング設定要求でのサービス処理規則に従って、及びターゲット測位端末に関する位置情報に基づいて、ジオフェンシングリマインダ通知をターゲット測位端末に送信するため
に特に使用することができる。
【０１１７】
上述した実施形態に基づいて、サービス処理情報送信ユニットは、
アプリケーションクライアントによって送信された物流リアルタイム測位要求を取得するため；
物流リアルタイム測位要求に従って、物流測位端末を特定するため；及び
物流測位端末に関する位置情報に基づいて、物流測位端末に関する位置情報をアプリケーションクライアントにリアルタイムで送信するため
に特に使用することができる。
【０１１８】
上述した実施形態に基づいて、サービス処理情報送信ユニットは、
アプリケーションクライアントによって送信された配達物分配要求を取得するため；
配達物分配要求での配達物の位置と、少なくとも１つの測位端末に関する位置情報とに従って、適合位置を有するターゲット測位端末を検索するため；及び
ターゲット測位端末に配達物を分配する旨の通知をターゲット測位端末及び／又はアプリケーションクライアントに送信するため
に特に使用することができる。
【０１１９】
本発明のこの実施形態で提供される位置情報に基づくサービス処理装置は、本発明の第１〜第５の実施形態で提供される位置情報に基づくサービス処理方法を実行するために使用することができ、対応する機能モジュールを有し、同様の有益な効果を実現する。
【０１２０】
第１０の実施形態
図１２は、本発明の第１０の実施形態による位置情報に基づくサービス処理装置の構造図を示す。図１２に示されるように、装置は、
現在位置の測位信号を収集するための測位信号収集ユニット１２１と、
測位信号をアプリケーションサーバに送信するための測位信号送信ユニット１２２と
を備え、それにより、アプリケーションサーバは、測位信号に従って測位端末に関する位置情報を特定し、サービス処理規則に従って、及び測位端末に関する位置情報に基づいて、サービス処理情報をアプリケーションクライアントと交換する。
【０１２１】
測位端末によって、現在位置の測位信号を収集し、測位端末によって、測位信号をアプリケーションサーバに送信し、それにより、アプリケーションサーバが、測位信号に従って測位端末に関する位置情報を特定し、サービス処理規則に従って、及び測位端末に関する位置情報に基づいて、サービス処理情報をアプリケーションクライアントと交換する技術的手段によって、本発明のこの実施形態の技術的解決策は、アプリケーションサーバが様々なサービス処理規則に従って適応するサービス処理情報をアプリケーションクライアント及び／又は測位端末に送信する技術的効果を実現し、既存のロケーションベースサービス技術を最適化し、個別のカスタマイズされたロケーションベースサービスに対する人々の高まる要求を満たす。
【０１２２】
上述した実施形態に基づいて、測位信号は、ＧＰＳ信号、ＷＩＦＩ信号、及び基地局ワイヤレス信号の少なくとも１つであってもよい。
【０１２３】
上述した実施形態に基づいて、この装置は、
測位信号を送信するタイプ及び／又は頻度を更新するために、アプリケーションサーバから測位モード及び／又は測位頻度を受信するための測位パラメータ受信ユニット
を更に備えることもある。
【０１２４】
上述した実施形態に基づいて、この装置は、
アプリケーションサーバによって送信されたサービス処理情報を受信するためのサービス処理情報受信ユニット
を更に備えることもある。
【０１２５】
上述した実施形態に基づいて、測位端末は、ウェアラブルデバイスに組み込まれた電子チップであってもよい。
【０１２６】
本発明のこの実施形態で提供される位置情報に基づくサービス処理装置は、本発明の第６及び第７の実施形態で提供される位置情報に基づくサービス処理方法を実行するために使用することができ、対応する機能モジュールを有し、同様の有益な効果を実現する。
【０１２７】
第１１の実施形態
図１３は、本発明の第１１の実施形態による位置情報に基づくサービス処理装置の構造図を示す。図１３に示されるように、装置は、
測位端末を制御するために端末監視要求をアプリケーションサーバに送信するための監視要求送信ユニット１３１と、
サービス処理規則に従って、及び測位端末に関する位置情報に基づいて特定されたサービス処理情報を、アプリケーションサーバから取得するためのサービス処理情報取得ユニット１３２と
を備える。
【０１２８】
アプリケーションクライアントによって、測位端末を制御するために端末監視要求をアプリケーションサーバに送信する、及び／又は、アプリケーションクライアントによって、サービス処理規則に従って、及びアプリケーションサーバからの測位端末に関する位置情報に基づいて特定されたサービス処理情報を取得するという技術的手段によって、本発明のこの実施形態の技術的解決策は、アプリケーションサーバが様々なサービス処理規則に従って適応するサービス処理情報をアプリケーションクライアント及び／又は測位端末に送信するという技術的効果を実現し、既存のロケーションベースサービス技術を最適化し、個別のカスタマイズされたロケーションベースサービスに対する人々の高まる要求を満たす。
【０１２９】
上述した実施形態に基づいて、サービス処理情報取得ユニットは、
測位検索要求をアプリケーションサーバに送信するため；及び
アプリケーションサーバによって返される測位検索結果を受信するため
に特に使用することができ、ここで、測位検索結果は、測位検索要求に従ってアプリケーションサーバによって特定されるシーク対象の測位端末に関する位置情報である。
【０１３０】
上述した実施形態に基づいて、サービス処理情報取得ユニットは、
物流リアルタイム測位要求をアプリケーションサーバに送信するため；及び
アプリケーションサーバによって返され、物流リアルタイム測位要求に従ってアプリケーションサーバによって特定された物流測位端末に関する位置情報を受信するため
に特に使用される。
【０１３１】
上述した実施形態に基づいて、サービス処理情報取得ユニットは、
配達物分配要求をアプリケーションサーバに送信するため；及び
アプリケーションサーバによって返される、ターゲット測位端末に配達物を分配する旨の通知を受信するため
に特に使用され、ターゲット測位端末は、配達物分配要求での配達物の位置と、少なくとも１つの測位端末に関する位置情報とに従って、アプリケーションサーバによって検索される適合位置を有する測位端末である。
【０１３２】
本発明のこの実施形態で提供される位置情報に基づくサービス処理装置は、本発明の第８の実施形態で提供される位置情報に基づくサービス処理方法を実行するために使用することができ、対応する機能モジュールを有し、同様の有益な効果を実現する。
【０１３３】
様々な実施形態の態様が、特許請求の範囲において指定される。様々な実施形態のこれら及び他の態様は、以下の番号を付された項で指定される。
【０１３４】
１．  位置情報に基づくサービス処理方法であって、
アプリケーションサーバによって、測位端末によって送信された測位信号を取得するステップと、
前記アプリケーションサーバによって、前記測位信号に従って前記測位端末に関する位置情報を特定するステップと、
前記アプリケーションサーバによって、サービス処理規則に従って、及び前記測位端末に関する前記位置情報に基づいて、サービス処理情報をアプリケーションクライアント及び／又は測位端末に送信するステップと
を含むことを特徴とする、方法。
【０１３５】
２．  前記アプリケーションサーバが、前記測位信号に従って前記測位端末に関する位置情報を特定する前記ステップが、
前記アプリケーションサーバによって、前記測位信号に従って前記測位端末の位置点を特定するステップと、
前記アプリケーションサーバによって、少なくとも２つの時点で取得された前記測位信号に従って前記測位端末の位置軌跡を特定するステップと、
前記アプリケーションサーバによって、前記測位信号に従って前記測位端末のジオフェンシングを特定するステップと、
前記アプリケーションサーバによって、前記測位信号に従って前記測位端末の位置点及びシステム時刻を特定するステップと
の少なくとも１つを含むことを特徴とする、条項１に記載の方法。
【０１３６】
３．  前記アプリケーションサーバによって、ローカルで予め設定された、若しくは前記アプリケーションクライアントによって送信された測位モード及び／又は測位頻度を取得するステップと、
前記アプリケーションサーバによって、測位信号を送信する前記測位端末のタイプ及び／又は頻度を制御するために、前記測位モード及び／又は測位頻度を前記測位端末に送信するステップと
を更に含むことを特徴とする、条項１に記載の方法。
【０１３７】
４．  前記アプリケーションサーバが、前記サービス処理規則に従って、及び前記測位端末に関する前記位置情報に基づいて、前記サービス処理情報を前記アプリケーションクライアントに送信する前記ステップが、
前記アプリケーションサーバによって、アプリケーションクライアントによって送信された測位検索要求を受信するステップと、
前記アプリケーションサーバによって、前記測位検索要求に従ってシーク対象の測位端末を特定するステップと、
前記アプリケーションサーバによって、シーク対象の前記測位端末に関する位置情報に基づいて、前記アプリケーションクライアントに測位検索結果を送信するステップと
を含むことを特徴とする、条項１に記載の方法。
【０１３８】
５．  前記アプリケーションサーバが、前記サービス処理規則に従って、及び前記測位端末に関する前記位置情報に基づいて、前記サービス処理情報を前記測位端末に送信する前記ステップが、
前記アプリケーションサーバによって、前記アプリケーションクライアントによって送信されたジオフェンシング設定要求を受信するステップと、
前記アプリケーションサーバによって、前記ジオフェンシング設定要求に従って、ターゲット測位端末を特定するステップと、
前記アプリケーションサーバによって、前記ジオフェンシング設定要求でのサービス処理規則に従って、及び前記ターゲット測位端末に関する位置情報に基づいて、ジオフェンシングリマインダ通知を前記ターゲット測位端末に送信するステップと
を含むことを特徴とする、条項１に記載の方法。
【０１３９】
６．  前記アプリケーションサーバが、前記サービス処理規則に従って、及び前記測位端末に関する前記位置情報に基づいて、前記サービス処理情報を前記アプリケーションクライアントに送信する前記ステップが、
前記アプリケーションサーバによって、前記アプリケーションクライアントによって送信された物流リアルタイム測位要求を取得するステップと、
前記アプリケーションサーバによって、前記物流リアルタイム測位要求に従って物流測位端末を特定するステップと、
前記アプリケーションサーバによって、前記物流測位端末に関する位置情報に基づいて、前記物流測位端末に関する位置情報を前記アプリケーションクライアントにリアルタイムで送信するステップと
を含むことを特徴とする、条項１に記載の方法。
【０１４０】
７．  前記アプリケーションサーバが、前記サービス処理規則に従って、及び前記測位端末に関する前記位置情報に基づいて、前記サービス処理情報を前記アプリケーションクライアント及び／又は測位端末に送信する前記ステップが、
前記アプリケーションサーバによって、前記アプリケーションクライアントによって送信された配達物分配要求を取得するステップと、
前記アプリケーションサーバによって、前記配達物分配要求での配達物の位置と、少なくとも１つの測位端末に関する位置情報とに従って、適合位置を有するターゲット測位端末を検索するステップと、
前記アプリケーションサーバによって、前記ターゲット測位端末に配達物を分配する旨の通知を、前記ターゲット測位端末及び／又はアプリケーションクライアントに送信するステップと
を含むことを特徴とする、条項１に記載の方法。
【０１４１】
８．  位置情報に基づくサービス処理方法であって、
測位端末によって、現在位置の測位信号を収集するステップと、
前記測位端末によって、前記測位信号をアプリケーションサーバに送信するステップと
を含み、それにより、前記アプリケーションサーバが、前記測位信号に従って前記測位端末に関する位置情報を特定し、サービス処理規則に従って、及び前記測位端末に関する位置情報に基づいて、サービス処理情報をアプリケーションクライアントと交換することを特徴とする、方法。
【０１４２】
９．  前記測位信号が、ＧＰＳ信号、ＷＩＦＩ信号、及び基地局ワイヤレス信号の少なくとも１つであることを特徴とする、条項８に記載の方法。
【０１４３】
１０．  前記測位端末によって、前記測位信号を送信するタイプ及び／又は頻度を更新するために、前記アプリケーションサーバから測位モード及び／又は測位頻度を受信するステップ
を更に含むことを特徴とする、条項８に記載の方法。
【０１４４】
１１．  前記測位端末によって、前記アプリケーションサーバによって送信されたサービス処理情報を受信するステップ
を更に含むことを特徴とする、条項８に記載の方法。
【０１４５】
１２．  前記測位端末が、前記アプリケーションサーバによって送信された前記サービス処理情報を受信する前記ステップが、
前記測位端末によって、前記アプリケーションサーバによって送信され、前記測位端末に関する前記位置情報に基づいて特定されたジオフェンシングリマインダ通知を受信するステップ
を含むことを特徴とする、条項１１に記載の方法。
【０１４６】
１３．  前記測位端末が、前記アプリケーションサーバによって送信された前記サービス処理情報を受信する前記ステップが、
前記測位端末によって、前記アプリケーションサーバによって送信された、前記測位端末に配達物を分配する旨の通知を受信するステップを含み、前記測位端末が、前記アプリケーションクライアントによって送信された配達物分配要求での前記配達物の位置と、少なくとも１つの測位端末に関する位置情報とに従って、前記アプリケーションサーバによって検索される適合位置を有する
ことを特徴とする、条項１１に記載の方法。
【０１４７】
１４．  前記測位端末が、ウェアラブルデバイスに組み込まれた電子チップである
ことを特徴とする、条項８〜１３のいずれか一項に記載の方法。
【０１４８】
１５．  位置情報に基づくサービス処理方法であって、
アプリケーションクライアントによって、測位端末を制御するために端末監視要求をアプリケーションサーバに送信するステップ、及び／又は
前記アプリケーションクライアントによって、サービス処理規則に従って、及び前記アプリケーションサーバからの前記測位端末に関する位置情報に基づいて特定されたサービス処理情報を取得するステップ
を含むことを特徴とする、方法。
【０１４９】
１６．  アプリケーションクライアントが、前記測位端末を制御するために前記端末監視要求を前記アプリケーションサーバに送信する前記ステップが、
前記アプリケーションクライアントによって、前記アプリケーションサーバを介して測位信号を送信する前記測位端末のタイプ及び／又は頻度を制御するために測位モード及び／又は測位頻度を前記アプリケーションサーバに送信するステップ
を含むことを特徴とする、条項１５に記載の方法。
【０１５０】
１７．  前記アプリケーションクライアントが、前記測位端末を制御するために前記端末監視要求を前記アプリケーションサーバに送信する前記ステップが、
前記アプリケーションクライアントによって、ジオフェンシング設定要求を前記アプリケーションサーバに送信し、前記ジオフェンシング設定要求によって特定されたターゲット測位端末に関する位置情報に従ってジオフェンシングリマインダ通知を前記ターゲット測位端末に送信するように前記アプリケーションサーバを制御するステップ
を含むことを特徴とする、条項１５に記載の方法。
【０１５１】
１８．  前記アプリケーションクライアントが、前記サービス処理規則に従って、及び前記測位端末に関する前記位置情報に基づいて特定された前記サービス処理情報を前記アプリケーションサーバから取得する前記ステップが、
前記アプリケーションクライアントによって、測位検索要求を前記アプリケーションサーバに送信するステップと、
前記アプリケーションクライアントによって、前記アプリケーションサーバによって返される測位検索結果を受信するステップと
を含み、前記測位検索結果が、前記測位検索要求に従って前記アプリケーションサーバによって特定されるシーク対象の測位端末に関する位置情報であることを特徴とする、条項１５に記載の方法。
【０１５２】
１９．  前記アプリケーションクライアントが、前記サービス処理規則に従って、及び前記測位端末に関する前記位置情報に基づいて特定された前記サービス処理情報を前記アプリケーションサーバから取得する前記ステップが、
前記アプリケーションクライアントによって、物流リアルタイム測位要求を前記アプリケーションサーバに送信するステップと、
前記アプリケーションクライアントによって、前記アプリケーションサーバによって返され、前記物流リアルタイム測位要求に従って前記アプリケーションサーバによって特定された物流測位端末に関する位置情報を受信するステップと
を含むことを特徴とする、条項１５に記載の方法。
【０１５３】
２０．  前記アプリケーションクライアントが、前記サービス処理規則に従って、及び前記測位端末に関する前記位置情報に基づいて特定された前記サービス処理情報を前記アプリケーションサーバから取得する前記ステップが、
前記アプリケーションクライアントによって、配達物分配要求を前記アプリケーションサーバに送信するステップと、
前記アプリケーションクライアントによって、アプリケーションサーバによって返される、前記ターゲット測位端末に配達物を分配する旨の通知を受信するステップと
を含み、前記ターゲット測位端末が、前記配達物分配要求での配達物の位置と、少なくとも１つの測位端末に関する位置情報とに従って、前記アプリケーションサーバによって検索される適合位置を有する測位端末であることを特徴とする、条項１５に記載の方法。
【０１５４】
２１．  アプリケーションサーバ内に構成された位置情報に基づくサービス処理装置であって、
測位端末によって送信された測位信号を取得するための測位信号取得ユニットと、
前記測位信号に従って前記測位端末に関する位置情報を特定するための位置情報特定ユニットと、
サービス処理規則に従って、及び前記測位端末に関する前記位置情報に基づいて、サービス処理情報をアプリケーションクライアント及び／又は測位端末に送信するためのサービス処理情報送信ユニットと
を備えることを特徴とする、装置。
【０１５５】
２２．  前記位置情報特定ユニットが、
前記測位信号に従って前記測位端末の位置点を特定するため、及び／又は
少なくとも２つの時点で取得された前記測位信号に従って前記測位端末の位置軌跡を特定するため、及び／又は
前記測位信号に従って前記測位端末のジオフェンシングを特定するため、及び／又は
前記測位信号に従って前記測位端末の位置点及びシステム時刻を特定するため
に特に使用されることを特徴とする、条項２１に記載の装置。
【０１５６】
２３．  前記装置が、
ローカルで予め設定された、若しくは前記アプリケーションクライアントによって送信された測位モード及び／又は測位頻度を取得するための測位パラメータ取得ユニットと、
測位信号を送信する前記測位端末のタイプ及び／又は頻度を制御するために前記測位モード及び／又は測位頻度を前記測位端末に送信するための測位パラメータ送信ユニットと
を更に備えることを特徴とする、条項２１に記載の装置。
【０１５７】
２４．  前記サービス処理情報送信ユニットが、
アプリケーションクライアントによって送信された測位検索要求を受信するため、
前記測位検索要求に従ってシーク対象の測位端末を特定するため、及び
シーク対象の前記測位端末に関する位置情報に基づいて測位検索結果を前記アプリケーションクライアントに送信するため
に特に使用されることを特徴とする、条項２１に記載の装置。
【０１５８】
２５．  前記サービス処理情報送信ユニットが、
前記アプリケーションクライアントによって送信されたジオフェンシング設定要求を受信するため、
前記ジオフェンシング設定要求に従ってターゲット測位端末を特定するため、及び
前記ジオフェンシング設定要求でのサービス処理規則に従って、及び前記ターゲット測位端末に関する位置情報に基づいて、ジオフェンシングリマインダ通知を前記ターゲット測位端末に送信するため
に特に使用されることを特徴とする、条項２１に記載の装置。
【０１５９】
２６．  前記サービス処理情報送信ユニットが、
前記アプリケーションクライアントによって送信された物流リアルタイム測位要求を取得するため、
前記物流リアルタイム測位要求に従って物流測位端末を特定するため、及び
前記物流測位端末に関する位置情報に基づいて、前記物流測位端末に関する位置情報を前記アプリケーションクライアントにリアルタイムで送信するため
に特に使用されることを特徴とする、条項２１に記載の装置。
【０１６０】
２７．  前記サービス処理情報送信ユニットが、
前記アプリケーションクライアントによって送信された配達物分配要求を取得するため、
前記配達物分配要求での配達物の位置と、少なくとも１つの測位端末に関する位置情報とに従って、適合位置を有するターゲット測位端末を検索するため、及び
前記ターゲット測位端末に前記配達物を分配する旨の通知を、前記ターゲット測位端末及び／又はアプリケーションクライアントに送信するため
に特に使用されることを特徴とする、条項２１に記載の装置。
【０１６１】
２８．  測位端末内に構成された位置情報に基づくサービス処理装置であって、
現在位置の測位信号を収集するための測位信号収集ユニットと、
前記測位信号をアプリケーションサーバに送信するための測位信号送信ユニットと
を備え、それにより、前記アプリケーションサーバが、前記測位信号に従って前記測位端末に関する位置情報を特定し、サービス処理規則に従って、及び前記測位端末に関する位置情報に基づいて、サービス処理情報をアプリケーションクライアントと交換することを特徴とする、装置。
【０１６２】
２９．  前記測位信号が、ＧＰＳ信号、ＷＩＦＩ信号、及び基地局ワイヤレス信号の少なくとも１つであることを特徴とする、条項２８に記載の方法。
【０１６３】
３０．  前記装置が、
測位信号を送信するタイプ及び／又は頻度を更新するために、前記アプリケーションサーバから測位モード及び／又は測位頻度を受信するための測位パラメータ受信ユニット
を更に備えることを特徴とする、条項２１に記載の装置。
【０１６４】
３１．  前記装置が、
前記アプリケーションサーバによって送信されたサービス処理情報を受信するためのサービス処理情報受信ユニット
を更に備えることを特徴とする、条項２８に記載の装置。
【０１６５】
３２．  前記測位端末が、ウェアラブルデバイスに組み込まれた電子チップである
ことを特徴とする、条項２８〜３１のいずれか一項に記載の装置。
【０１６６】
３３．  アプリケーションクライアント内に構成された位置情報に基づくサービス処理装置であって、
測位端末を制御するために端末監視要求をアプリケーションサーバに送信するための監視要求送信ユニット、及び／又は
サービス処理規則に従って、及び測位端末に関する位置情報に基づいて特定されたサービス処理情報を、前記アプリケーションサーバから取得するためのサービス処理情報取得ユニット、
を備えることを特徴とする、装置。
【０１６７】
３４．  前記サービス処理情報取得ユニットが、
測位検索要求を前記アプリケーションサーバに送信するため、及び
前記アプリケーションサーバによって返される測位検索結果を受信するため
に特に使用され、前記測位検索結果が、前記測位検索要求に従って前記アプリケーションサーバによって特定されるシーク対象の測位端末に関する位置情報であることを特徴とする、条項３３に記載の装置。
【０１６８】
３５．  前記サービス処理情報取得ユニットが、
物流リアルタイム位置要求を前記アプリケーションサーバに送信するため、及び
前記アプリケーションサーバによって返され、前記物流リアルタイム測位要求に従って前記アプリケーションサーバによって特定された物流測位端末に関する位置情報を、受信するため
に特に使用されることを特徴とする、条項３３に記載の装置。
【０１６９】
３６．  前記サービス処理情報取得ユニットが、
配達物分配要求を前記アプリケーションサーバに送信するため、及び
前記アプリケーションサーバによって返される、ターゲット測位端末に配達物を分配する旨の通知を受信するため
に特に使用され、前記ターゲット測位端末が、前記配達物分配要求での配達物の位置と、少なくとも１つの測位端末に関する位置情報とに従って、前記アプリケーションサーバによって検索される適合位置を有する測位端末であることを特徴とする、条項３３に記載の装置。
【０１７０】
明らかに、本発明の上記の様々なモジュール又は様々なステップは、上述した測位端末と、アプリケーションサーバと、アプリケーションクライアントとの協働によって実装することができることを当業者は理解すべきである。任意選択的に、本発明の実施形態は、コンピュータ装置実行可能プログラムによって実装することができ、それにより、処理装置によって実行されるようにそのプログラムを記憶装置に記憶することが可能である。プログラムは、コンピュータ可読記憶媒体に記憶することができる。上述した記憶媒体は、読み出し専用メモリ、磁気ディスク、又は光ディスクなどであってもよい。或いは、それらは、それぞれ様々な集積回路モジュール内に形成され、又はそれらの複数のモジュール又はステップが単一の集積回路モジュール内に形成される。このようにして、本発明は、ハードウェアとソフトウェアの任意の特定の組み合わせに限定されない。
【０１７１】
以上のことは、本発明の好ましい実施形態にすぎず、本発明を限定することは意図されておらず、当業者には、本発明が様々な変更及び変形を有することができることが理解されよう。本発明の精神及び原理の範囲内で成される任意の修正、均等的な置換、又は改良などは全て、本発明の保護の範囲内に入る。
【符号の説明】
【０１７２】
９１  ウェアラブルデバイス
９２  ネットワーク測位サーバ
９３  スマートモバイル端末
１０１  測位端末
１０２  アプリケーションサーバ
１０３  物流サービスユーザのクライアント
１０４  物流管理者のクライアント
１１１  測位信号取得ユニット
１１２  位置情報特定ユニット
１１３  サービス処理情報送信ユニット
１２１  測位信号収集ユニット
１２２  測位信号送信ユニット
１３１  監視要求送信ユニット
１３２  サービス処理情報取得ユニット
【図１】
2016054471.tif 000003
【図２】
2016054471.tif 000004
【図３】
2016054471.tif 000005
【図４】
2016054471.tif 000006
【図５】
2016054471.tif 000007
【図６】
2016054471.tif 000008
【図７】
2016054471.tif 000009
【図８】
2016054471.tif 000010
【図１１】
2016054471.tif 000011
【図１２】
2016054471.tif 000012
【図１３】
2016054471.tif 000013
【図９】
2016054471.tif 000014
【図１０】
2016054471.tif 000015
【外国語明細書】
2016054471000001.pdf